(57)【要約】【課題】  携帯性に優れるとともに、幼児を安定してかつ幼児にとって心地よく保持される子守帯を提供する。【解決手段】  子守帯１０は、ウエストポーチの物品収納部４０の背面に設けられた帯収納部に全体が収納可能である。帯収納部４０は、ウエストポーチとしての使用時に、装着者の腰に当接し、クッション性を有する所定の広さの面を有するパッド部１６を含む。子守帯１０は、使用時に幼児の背中を保持するための背当て部１２と、背当て部１２に続き、幼児の尻部を保持する尻当て部１３と、尻当て部１３に続き、幼児の股部を保持する股当て部１４とを含む。パッド部１６は、子守帯１０の使用時に、尻当て部１３として使用される。【選択図】      図２
2006280719.tif 000002
【特許請求の範囲】
【請求項１】
ウエストポーチの帯収納部に全体が収納可能な子守帯であって、
前記帯収納部は、ウエストポーチとしての使用時に、装着者の腰に当接するパッド部を含み、
該子守帯は、使用時に幼児の背中を保持するための背当て部と、前記背当て部に続き、幼児の尻部を保持する尻当て部と、前記尻当て部に続き、幼児の股部を保持する股当て部とを含み、
前記パッド部は、該子守帯の使用時に、前記尻当て部として使用される、子守帯。
【請求項２】
前記背当て部は前記帯収納部の一方側端部から取出され、前記股当て部は前記帯収納部の他方側端部から取出される、請求項１に記載の子守帯。
【請求項３】
前記パッド部は通気性を有する、請求項１または２に記載の子守帯。
【請求項４】
前記子守帯は前記パッド部に接続された第１ベルトを含み、
前記股当て部には第２ベルトが接続され、
該子守帯をウエストポーチとして使用するときは、前記第１ベルトを装着者の腰に装着し、
該子守帯を幼児の保持に使用するときは、前記第２ベルトを装着者の腰に装着する、請求項１から３のいずれかに記載の子守帯。
【発明の詳細な説明】
【技術分野】
【０００１】
この発明は子守帯に関し、特に、携帯の容易な子守帯に関する。
【背景技術】
【０００２】
小物を収納できるとともに、子守帯として使用できるベビーホルダがたとえば、特開２０００−１８６５４３号公報に開示されている。同公報によれば、ベビーホルダは、幼児を収納する本体部と本体部の下部に設けられて使用者の腰に巻留める腰ベルトと、本体部に取付けられて使用者の肩に掛ける肩ベルトとを有し、腰ベルトには腰パッドが装着され、かつ腰パッドに本体部および肩ベルトを収納する収納部が一体的に設けられている。
【特許文献１】特開２０００−１８６５４３号公報（図１およびそれに関連する記載）
【発明の開示】
【発明が解決しようとする課題】
【０００３】
従来の収納可能な子守帯は上記のように構成されていた。使用時にのみ本体部を取出して子守帯として利用できるため便利ではあるが、任意の形状に折り畳み可能な本体部のみで幼児を保持するため、幼児としては無理に狭い空間に閉じこめられることになり、腹部を圧迫されて苦しい思いをするとともに、安定して保持されない。
【０００４】
この発明は上記のような問題点を解消するためになされたもので、携帯性に優れるとともに、幼児を安定してかつ幼児にとって心地よく保持される子守帯を提供することを目的とする。
【課題を解決するための手段】
【０００５】
この発明に係る子守帯は、ウエストポーチの帯収納部に全体が収納可能である。帯収納部は、ウエストポーチとしての使用時に、装着者の腰に当接するパッド部を含み、子守帯は、使用時に幼児の背中を保持するための背当て部と、背当て部に続き、幼児の尻部を保持する尻当て部と、尻当て部に続き、幼児の股部を保持する股当て部とを含み、パッド部は、子守帯の使用時に、尻当て部として使用される。
【０００６】
ウエストポーチの帯収納部に全体が収納可能であるとともに、パッド部が子守帯としての使用時に尻当て部として使用されるため、幼児はパッド部で安定して保持される。
【０００７】
その結果、携帯性に優れるとともに、幼児にとって安定してかつ心地よく保持される子守帯を提供できる。
【０００８】
好ましくは、背当て部は帯収納部の一方側端部から取出され、股当て部は帯収納部の他方側端部から取出される。
【０００９】
さらに好ましくは、パッド部は通気性を有する。
【００１０】
さらに好ましくは、子守帯はパッド部に接続された第１ベルトを含み、股当て部には第２ベルトが接続され、子守帯をウエストポーチとして使用するときは、第１ベルトを装着者の腰に装着し、子守帯を幼児の保持に使用するときは、第２ベルトを装着者の腰に装着する。
【発明を実施するための最良の形態】
【００１１】
以下この発明の実施の形態を、図面を参照して説明する。図１はこの発明の一実施の形態に係る子守帯１０の、幼児を保持する面側の展開状態を示す図であり、図２は、その反対側の面を示す図である。
【００１２】
図１を参照して、子守帯１０は、背当て部１２と、背当て部１２の下方に設けられた尻当て部１３と、尻当て部の１３の下方に設けられた股当て部１４とを含む。子守帯１０の使用時には、背当て部１２、尻当て部１３および股当て部１４によって、それぞれ、幼児の背中、尻、および股を保持する。背当て部１２、尻当て部１３および股当て部１４は、通気性を有するメッシュ状の布で構成されている。
【００１３】
後に説明するように、子守帯１０をウエストポーチの帯収納部に収納したときに、尻当て部１３は、ウエストポーチの装着者の腰に当接するパッド部１６としても機能する。したがって、帯収納部は、ウエストポーチとしての使用時に、装着者の腰に当接するパッド部を含む。なお、パッド部１６は、クッション性のある部材で構成され、一定の広さを有しているのが好ましい。
【００１４】
背当て部１２は、後に説明するように、尻当て部１３の背面に設けられ、尻当て部１３と物品収納部４０（図２参照）との間に設けられた帯収納部５０（図４参照）中に全体が収納可能に設けられており、尻当て部１３の上端部に設けられた上部ファスナ４１を開けることによって、帯収納部の中から取出して図１に示すように展開される。
【００１５】
同様に、股当て部１４も尻当て部１３の背面に設けられた帯収納部の中に収納可能に設けられており、尻当て部１３の下端部に設けられた下部ファスナ（図５参照）を開けることによって、帯収納部５０の中から取出して図１に示すように展開される。
【００１６】
背当て部１２の上部の両側の先端部には、それぞれフック２１ａ、２１ｂが設けられている。尻当て部１３の左右両側には、所定の幅を有する収納部保持部２４ａ、２４ｂが設けられ、その先は、それぞれ第１ベルト２５ａ、２５ｂにつながっている。第１ベルト２５ａ，２５ｂの一方端部には、ワンタッチバックル３１が設けられ、他方端部には、ワンタッチバックル３１に係合するカバー付きバックル３２が設けられている。
【００１７】
股当て部１４の中央部の左右両側には、第２ベルト３０ａ，３０ｂが設けられている。第２ベルト３０ａ，３０ｂの一方端部には、ワンタッチバックル３３が設けられ、他方端部には、ワンタッチバックル３３に係合するカバー付きバックル３４が設けられている。股当て部１４の下方向の端部には、第３ベルト３６ａ，３６ｂが設けられ、それぞれの先端には、３７ａ，３７ｂが設けられている。
【００１８】
次に図２を参照して、子守帯１０の幼児を保持する側の背面側について説明する。図２を参照して、背当て部１２の背面には、その上部の両側にリング２２ａ、２２ｂが設けられている。
【００１９】
尻当て部１３の背面には、上記したように、収納状態において背当て部１２および股当て部１４を収納可能な帯収納部と物品収納部４０とが設けられている。物品収納部４０の上端部には、この子守帯１０をウエストポーチとして使用したときに、その内部に物を収納するための物品収納部ファスナ４４が設けられており、その下部には、２つのポケットおよびそれ用のファスナ４５ａ、４５ｂが設けられている。このように、物品収納部４０にポケットが設けられているため、幼児とともに外出するとき等に必要な小物を身近に保持できる。
【００２０】
収納部保持部２４ａ、２４ｂの両端部には、第１ベルト２５ａ、２５ｂとの間に通路２６ａ、２６ｂが設けられている。また、第１ベルト２５ａ、２５ｂには、それぞれ、リング２７ａ、２７ｂが設けられている。
【００２１】
なお、図２には、後に説明する子守帯１０の使用時において、第３ベルト３６のフック３７ａ，３７ｂが通る経路を矢印で示している。すなわち、第３ベルト３６のフック３７ａ，３７ｂは、第１ベルト２５の通路２６ａ、２６ｂを通って背当て部１２に設けられたリング２２ａ，２２ｂに係合する。
【００２２】
また、第１、第２および第３ベルト２５，３０，３６の各々は、個別にその長さが調節可能な長さ調節部を有している。
【００２３】
図３は、図２の状態から、背当て部１２および股当て部１４を帯収納部内に収納した状態を示す図である。図３に示すように、背当て部１２および股当て部１４を収納すると、子守帯１０は、通常のウエストポーチとして使用可能である。
【００２４】
図４および図５は、図３において、それぞれ矢印ＩＶ−ＩＶ、およびＶ−Ｖで示す方向から見た矢視図である。図４を参照して、物品収納部４０の尻当て部１３側には帯収納部５０が設けられ、その上部には、上部ファスナ４１が設けられる。同様に、物品収納部４０の尻当て部１３側の下部には、下部ファスナ４２が設けられている。上記したように、上部ファスナ４１を開閉して背当て部１２を帯収納部５０から取出し、また収納し、下部ファスナ４２を開閉して、股当て部１４を帯収納部５０から取出し、また、収納する。
【００２５】
次に、この実施の形態に係る子守帯１０の使用方法について説明する。図６は図３に示した子守帯１０を収納したウエストポーチを装着者が腰に保持した状態を示す図である。したがって、子守帯１０は、通常は、ウエストポーチとして、第１ベルト２５を用いて装着者の腰に保持される。このとき、パッド部１６がウエストポーチの装着者の腰に当接するため、装着者は容易にウエストポーチを保持できる。
【００２６】
次に図７を参照して、子守帯１０を使用する場合について説明する。まず、下部ファスナ４２を開いて、股当て部１４と第２ベルト３０ａ，３０ｂとを帯収納部５０から取出し、第２ベルト３０ａ，３０ｂを用いて装着者の腰に物品収納部４０を保持する。このとき、股当て部１４の下端部に設けられた第３ベルト３６ａ，３６ｂは、図示のように尻当て部１３側に折返しておく。このとき第１ベルト２５ａ，２５ｂを外すとともに、上部ファスナ４１を開いて帯収納部５０から背当て部１２を取出す。
【００２７】
次に、図８に示すように、第１ベルト２５ａ，２５ｂをワンタッチバックル３１とカバーバックル３２とで接続して装着者の肩に掛ける。その後、図２で説明したように、図９および図１０に示すように、第３ベルト３６ｂの端部に設けられたフック３７ｂを、通路２６ｂに通した後、背当て部１２のリング２２ｂに係合させる。これによって、尻当て部１３、股当て部１４および第３ベルト３６で構成される、幼児の足が伸びる開口部が形成される。
【００２８】
次に、図１１に示すように、背当て部１２の端部に設けられたフック２１ｂを第１ベルト２５ｂに設けられたリング２７ｂに係合させる。これによって、背当て部１２が縦方向に保持され、幼児を縦方向に保持できる。
【００２９】
図１２は、図１１に示した状態を図１１とは反対方向から見た図である。反対方向においても同様に各部材が係合されている。
【００３０】
図１３は、上記のように各部を接続して構成された子守帯１０を用いて、幼児を保持した状態を示す図である。上記したように、背当て部１２の先端部に設けられたフック２１を第１ベルト２５に設けられたリング２７に係合させて、側面に足を伸ばせる開口を形成するとともに、背当て部１２と、尻当て部１３と、股当て部１４とで幼児を保持する空間を構成するようにした。パッド部を尻当て部１３として使用するため、幼児は腹部を圧迫されることなく、安定して快適に子守帯によって保持される。
【００３１】
その結果、幼児を安定して保持できるとともに、子守帯の不使用時には収納が容易でかつ携帯性に優れた子守帯を提供できる。
【００３２】
なお、上記実施の形態においては、幼児を対面方向で保持する状態について説明したが、これに限らず、幼児を逆向きに保持するようにしてもよい。
【００３３】
また、上記実施の形態においては、帯収納部を物品収納部と分けた場合について説明したが、これに限らず、物品収納部が帯収納部を兼ねてもよい。
【００３４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３５】
この発明にかかる子守帯は、携帯性に優れるとともに、幼児を安定してかつ心地よく保持できるため、子守帯として、有利に利用される。
【図面の簡単な説明】
【００３６】
【図１】この発明の一実施形態に係る子守帯の幼児を保持する側を展開した状態を示す図である。
【図２】図１に示した側の反対側を示す図である。
【図３】子守帯を収納してウエストポーチとして使用する状態を示す図である。
【図４】図３においてＩＶ−ＩＶで示す部分を示す図である。
【図５】図３においてＶ−Ｖで示す部分を示す図である。
【図６】図３に示したウエストポーチを装着者が使用する状態を示す図である。
【図７】この発明の一実施形態に係る子守帯の使用手順を順に示す図である。
【図８】この発明の一実施形態に係る子守帯の使用手順を順に示す図である。
【図９】この発明の一実施形態に係る子守帯の使用手順を順に示す図である。
【図１０】この発明の一実施形態に係る子守帯の使用手順を順に示す図である。
【図１１】この発明の一実施形態に係る子守帯の使用手順を順に示す図である。
【図１２】この発明の一実施形態に係る子守帯の使用手順を順に示す図である。
【図１３】子守帯によって幼児を保持した状態を示す図である。
【符号の説明】
【００３７】
１０  子守帯、１２  背当て部、１３  尻当て部、１４  股当て部、１６  パッド部、２１，３７  フック、２２，２７  リング、２４  収納部保持部、２５  第１ベルト、２６  通路、３０  第２ベルト、３１，３３  ワンタッチバックル、３２，３４  カバー付きバックル、３６  第３ベルト、４０  物品収納部、４１  上部ファスナ、４２  下部ファスナ、５０  帯収納部。
【図１】
2006280719.tif 000003
【図２】
2006280719.tif 000004
【図３】
2006280719.tif 000005
【図４】
2006280719.tif 000006
【図５】
2006280719.tif 000007
【図６】
2006280719.tif 000008
【図７】
2006280719.tif 000009
【図８】
2006280719.tif 000010
【図９】
2006280719.tif 000011
【図１０】
2006280719.tif 000012
【図１１】
2006280719.tif 000013
【図１２】
2006280719.tif 000014
【図１３】
2006280719.tif 000015